(57)【特許請求の範囲】
【請求項１】
端部にケーブルヘッドが装着されたケーブルが胴部に巻回されたケーブルドラムと、
前記ケーブルドラムの胴部に基端部が着脱可能に固定され、先端部が少なくとも前記胴部におけるケーブルヘッドの真下部分を越えて伸長するように前記胴部に巻き付けられて前記ケーブルヘッドが載置固定されるとともに、前記巻き付き方向へ曲げ変形が可能で該巻き付け方向と逆方向への曲げ変形が規制されるように構成されたヘッド誘導体と、
を備えたことを特徴とするケーブルドラムシステム。
【請求項２】
前記ヘッド誘導体が、前記ケーブルヘッドを載置固定する面を構成する平坦部を備えた複数の構成単位部材を該平坦部の端部において相互連結することで構成され、
前記複数の構成単位部材は、前記平坦部の端部を軸として隣接する構成単位部材の対向側部同士が近づく方向に回動することを特徴とする請求項１に記載のケーブルドラムシステム。
【請求項３】
前記ヘッド誘導体が、
前記ケーブルヘッドを前記ケーブルドラムの胴部から起立させた方向に向くように支持する支持柱を備えたことを特徴とする請求項１又は２に記載のケーブルドラムシステム。
【請求項４】
前記ケーブルドラムから繰り出される前記ヘッド誘導体を、前記ケーブルドラムの胴部の最も高い部分よりも低い位置において収容支持するヘッド誘導体収容支持部を備えたことを特徴とする請求項１〜３の何れか１項に記載のケーブルドラムシステム。
【発明の詳細な説明】
【技術分野】
【０００１】
本発明は、ケーブルドラムシステムに関し、特に、端部にケーブルヘッドが装着されたケーブルが巻回されるケーブルドラムシステムに関する。
【背景技術】
【０００２】
従来、送電線に断線等が発生した場合など該送電線本線を修理する必要がある場合に、応急用ケーブルによってバイパス路を形成して、該応急用ケーブルによって送電を行う。このような応急用ケーブルは、一般的にケーブルドラムに巻回された状態で現場に搬入される。
【０００３】
図９は、従来のケーブルドラムの構成を説明する図である。図示のように、ケーブルドラム１００は、両端にある一対の外方フランジ１０１、１０１と、内部の一対の内方フランジ１０２、１０２を備えており、ケーブル１０４は、その両端に取り付けられたケーブルヘッド１０６がそれぞれ、外方フランジ１０１と内方フランジ１０２の間において、係止部１０８により胴部に係止されている。
【０００４】
一方、ケーブル本体１１０は、内方フランジ１０２、１０２の間の中央部分の胴部において巻回された状態で保持されている。このようなケーブルドラム１００においてケーブル１０４の使用時には、ケーブルヘッド１０６を持ち上げるなどして、係止部１０８による係止状態を解除し、作業員がケーブルヘッド１０６を引っ張りつつ、ケーブル本体１１０の巻回状態を解いて、ケーブルヘッド１０６を対象の端子に挿入する。なお、ケーブルヘッド１０６が高重量の場合などにおいては、ケーブルヘッド１０６がケーブル本体１１０に対して折れ曲がる方向に負荷がかかり、ケーブルヘッド１０６のケーブル本体１１０に対する装着部分（付け根部分）が破損してしまわないように、ケーブルヘッド１０６をケーブルに対して曲げない状態を保ったままケーブルドラム１００から取り外す必要がある。
【０００５】
ところが、ケーブルヘッド１０６が、例えば、ケーブルドラム１００の中腹高さ位置にある場合には、ケーブルヘッド１０６が水平ではなく上向き或いは下向きになるので、ケーブルヘッド１０６をケーブル１０４に対して曲がらない状態を維持しつつケーブルドラム１００から取り外すことが難しくなる。
【０００６】
従って、ケーブル１０４をケーブルドラム１００から取り外す際には、図９にも示されているように、ケーブルヘッド１０６がケーブルドラム１００に上部位置に配置される（ケーブルヘッドの向きが水平状態を保つ）ように巻回状態が調整される。そして、作業員は、ケーブル１０４を取り外す際に、先ず、ケーブルドラム１００の上部位置においてケーブルヘッド１０６を下方から支えつつ係止部１０８による係止状態を解除しケーブルヘッド１０６をケーブル本体１１０に対して曲がらない状態を保ったまま取り外すようにしていた。
【先行技術文献】
【特許文献】
【０００７】
【特許文献１】特開平０７−２６７５１１号公報
【発明の概要】
【発明が解決しようとする課題】
【０００８】
しかし、上述のケーブルヘッド１０６をケーブルドラム１００から取り外す作業は、作業員に対して多大な負担が生じるものであった。特に、数十ｋｇ以上にも及ぶ高重量のケーブルヘッド１０６を備えたケーブル１０４の場合、作業の安全性の確保やケーブルヘッド１０６の破損を防止するために、一人の作業員がケーブルヘッド１０６の係止部１０８による係止状態をドラム上部において解除しつつ、別の作業員がこの係止状態の解除されたケーブルヘッド１０６を下方から支持して曲がらないよう姿勢を保ちながら該ケーブルヘッド１０６をケーブルドラム１００から取り外す必要がある。
【０００９】
このような場合において、ケーブルヘッド１０６の係止を解除する作業員とケーブルヘッド１０６を下方から支持する作業員の連携がうまくいかなかった際には、ケーブルヘッド１０６の落下により下方の作業員が負傷したりケーブルヘッド１０６が破損する等のトラブルが発生する恐れがある。
【００１０】
本発明は、このような事情に鑑みてなされたものであり、その目的は、ケーブルヘッドをケーブルドラムから安全に取り外しケーブルを円滑に引き出すことのできるケーブルドラムシステムを提供することにある。
【課題を解決するための手段】
【００１１】
上記課題を解決するために請求項１に記載のケーブルドラムシステムは、端部にケーブルヘッドが装着されたケーブルが胴部に巻回されたケーブルドラムと、前記ケーブルドラムの胴部に基端部が着脱可能に固定され、先端部が少なくとも前記胴部におけるケーブルヘッドの真下部分を越えて伸長するように前記胴部に巻き付けられて前記ケーブルヘッドが載置固定されるとともに、前記巻き付き方向へ曲げ変形が可能で該巻き付け方向と逆方向への曲げ変形が規制されるように構成されたヘッド誘導体と、を備えたことを特徴とする。
【００１２】
これによれば、ヘッド誘導体の先端部が少なくともドラム胴部におけるケーブルヘッドの真下部分を越えて伸長するように巻き付けられてケーブルヘッドが載置固定されているので、ケーブルヘッドをヘッド誘導体とともにケーブルドラムから繰り出すことができる。すなわち、ケーブルヘッドをヘッド誘導体により下方から支持しつつドラムから取り外すことができる。特に、ヘッド誘導体は、巻き付き方向へ曲げ変形が可能で該巻き付け方向と逆方向への曲げ変形が規制されるように構成されているので、ケーブルヘッドが高重量であっても確実に支持されケーブルのケーブルドラムからの取り外し過程において該ケーブルヘッドがケーブル本体に対して折れ曲がった状態となることを防止することができる。
【００１３】
請求項２に記載の発明は、請求項１に記載のケーブルドラムシステムにおいて、前記ヘッド誘導体が、前記ケーブルヘッドを載置固定する面を構成する平坦部を備えた複数の構成単位部材を該平坦部の端部において相互連結することで構成され、前記複数の構成単位部材は、前記平坦部の端部を軸として隣接する構成単位部材の対向側部同士が近づく方向に回動することを特徴とする。
【００１４】
これによれば、ヘッド誘導体において、上述の巻き付き方向へ曲げ変形が可能で該巻き付け方向と逆方向への曲げ変形が規制される構成を容易に得ることができる。
【００１５】
請求項３に記載の発明は、請求項１又は２に記載のケーブルドラムシステムにおいて、前記ヘッド誘導体が、前記ケーブルヘッドを前記ケーブルドラムの胴部から起立させた方向に向くように支持する支持柱を備えたことを特徴とする。
【００１６】
これによれば、ケーブルヘッドのケーブルに対する折れ曲がりをより確実に防止することができる。
【００１７】
請求項４に記載の発明は、請求項１〜３の何れか１項に記載にケーブルドラムシステムにおいて、前記ケーブルドラムから繰り出される前記ヘッド誘導体を、前記ケーブルドラムの胴部の最も高い部分よりも低い位置で下方から支持するヘッド誘導体収容支持部を備えたことを特徴とする。
【００１８】
これによれば、ヘッド誘導体は、ケーブルドラムの胴部の頂点よりも低い位置で上記ヘッド誘導体収容支持部により収容支持されることとなる。従って、作業員等は、高い位置で作業を行うことなく、このヘッド誘導体収容支持部で支持された状態のヘッド誘導体からケーブルヘッドを安全に取り外すことができる。特に、ヘッド誘導体収容支持部におけるケーブルヘッドの受け入れ位置を、ケーブルヘッドを適用する対象の端子の位置と略同高さに設定することで、ケーブルヘッドの端子への差し込み作業をより容易に行うことができる。
【発明の効果】
【００１９】
本発明によれば、従来のケーブルヘッドに対して行われていた危険な係止解除作業を行う必要がなく、容易且つ安全にケーブルドラムからのケーブルの取り外しを行うことができ、作業の安全性が確保される。
【図面の簡単な説明】
【００２０】
【図１】本実施の形態にかかるケーブルドラムの構造を説明する図である。
【図２】本実施の形態にかかるケーブルドラムの構造を説明する図である。
【図３】本実施の形態にかかるケーブルドラムシステムの使用状態を説明する図である。
【図４】本実施の形態にかかるケーブルドラムシステムの使用状態を説明する図である。
【図５】本実施の形態にかかるケーブルドラムシステムの使用状態を説明する図である。
【図６】本実施の形態にかかるケーブルドラムシステムの使用状態を説明する図である。
【図７】本実施の形態にかかるケーブルドラムシステムの使用状態を説明する図である。
【図８】本実施の形態にかかるケーブルドラムシステムの使用状態を説明する図である。
【図９】従来技術を説明する図である。
【発明を実施するための形態】
【００２１】
以下、本発明にかかる実施の形態について図面を参照して詳細に説明する。
【００２２】
図１及び図２は、本実施の形態にかかるケーブルドラム１０の構造を示す説明図である。特に、図１は、ケーブルドラム１０における側部構造を概略的に示しており（図面の明瞭化のため外側フランジ１２は破線で示す）、図２は、ケーブルドラム１０の正面構造を示している。
【００２３】
図示のように、ケーブルドラム１０は、外枠として機能する両端の外側フランジ１２，１２の間にケーブル１１が取り付けられる部分である胴部１４が形成された構成を有する。本実施の形態では、胴部１４は、外側フランジ１２，１２寄り位置においてケーブルヘッド１６が係止される部分であるヘッド係止胴部１８と、ケーブル１１が巻回される中央胴部２０と、を有している。
【００２４】
このヘッド係止胴部１８と中央胴部２０の間には、作業者等により操作される胴部１４を回転させるための複数の操作レバー２２がそれぞれ取り付けられているレバー取り付け部２４が設けられており、この操作レバー２２を所望の回転方向に操作することでヘッド係止胴部１８及び中央胴部２０が連動して同方向に回転し、該回転により後述する蛇腹状体２６やケーブル本体Ｃの巻き付け及び繰出しを行うことができる。
【００２５】
本実施の形態では、中央胴部２０に巻回された状態のケーブル本体Ｃにおいて、その両端に設けられたケーブルヘッド１６は、ヘッド係止胴部１８に巻き付けられた蛇腹状体２６にヘッド取り付けプレート５０を介して固定された状態でヘッド係止胴部１８に装着されている。
【００２６】
蛇腹状体２６は、ヘッド取り付けプレート５０の幅よりも長く形成された複数の構成単位部材Ｕ１・・・ＵＮが相互に回動可能に連結されることで構成されている。特に、本実施の形態では、図４から理解されるように蛇腹状体２６における構成単位部材Ｕ１〜ＵＮは、該蛇腹状体２６の側面視において下凸の半円形状に形成されており、この半円の弦部分（平坦部）７０の端部７０ａで相互に連結されている。従って、複数の構成単位部材Ｕ１・・・ＵＮは、弦部分７０の端部７０ａを軸として隣接する構成単位部材の対向側部７０ｂ同士が近づく方向にのみ回動する。これにより、蛇腹状体２６は、ケーブルドラム１０の周に沿う曲線形態をとるものの、これとは反対に曲がった曲線形態には変形しないようになっている。
【００２７】
そして、蛇腹状体２６は、上記構成単位部材Ｕ１・・・ＵＮの連結によって全体としてケーブルヘッド１６の長さを超える長さに形成されており、その基端部が留め具２７によりヘッド係止胴部１８に固定されている。また、その先端部は少なくともヘッド係止胴部１８におけるケーブルヘッド１６の真下部分を越えて伸長し巻き付けられてケーブルヘッド１６が載置固定されている。特に、本実施の形態では、蛇腹状体２６は、先端部においても留め具２９によりヘッド係止胴部１８の留め具用孔部８０（図３参照）の部分に固定されている。なお、先端部には蛇腹状体２６のケーブルドラム１０の引き出しが容易となるように引き出し用取手３１が設けられている。また、蛇腹状体２６を構成する構成単位部材Ｕ１・・・ＵＮの材質は、アルミ、スチール、又はステンレス等の金属、木、布、又はポリカーボネート等の樹脂など種々のものが適用可能である。
【００２８】
更に、先頭から２番目の構成単位部材Ｕ２には、蛇腹状体２６が乗せられているヘッド取り付けプレート５０の先端部５０ａを支持する支持柱５４が溶接固定されている。これにより、図１等に明確に示されているようにケーブルヘッド１６がケーブルドラム１０のヘッド係止胴部１８から起立した状態に保たれる。また、ヘッド取り付けプレート５０の後端部５０ｂは、蛇腹状体２６に対して固定されていないものの、通常、ケーブルヘッド１６の重量により不安定に振れることはない。しかし、もし、ケーブルヘッド１６の重量が比較的軽い等の理由で後端部５０ｂが不安定となる場合には、なんらかの固定のための手段を講じても良い。
【００２９】
なお、上記蛇腹状体２６のヘッド係止胴部１８への巻き付けは、ケーブル１１が巻き付けられる前にケーブルヘッド１６が配置されるドラム上の位置を予め考慮して行うようにしても良いし、ケーブル１１が巻き付けられた状態で作業員等がケーブルヘッド１６の部分をケーブルドラム１０から持ち上げ支持しながら、行うようにしても良い。
【００３０】
上記構成を有するケーブルドラム１０の使用状態について説明する。図３〜８は、本実施の形態にかかるケーブルドラム１０の使用態様を説明する図である。
【００３１】
図示のように、ケーブルドラム１０の略中腹部分において、蛇腹状体２６の先端部の留め具２９を抜き取りその一端の固定状態を解除する。そして、操作レバー２２を操作することで、ヘッド係止胴部１８を回転させる。同時に、作業員等が引き出し用取手３１を引くことで、ケーブルヘッド１６が取り付けられている蛇腹状体２６が略直線形状に変形し
つつ繰り出される。
【００３２】
そして、このように、ケーブルドラム１０から繰り出されている蛇腹状体２６を、その先頭部分から収容支持する蛇腹状体収容支持具（ヘッド誘導体収容支持部）２８に誘導する。
【００３３】
特に、本実施の形態では、上述のように、支持柱５４によりケーブルヘッド１６が起立した状態で保持されているので、図３に示すように蛇腹状体２６がケーブルドラム１０の上部位置寄り低い位置で繰り出される場合、すなわち、支持柱５４がなければケーブルヘッド１６が下向きとなるような場合であっても、ケーブルヘッド１６は、略水平状態に保たれた状態のまま蛇腹状体収容支持具２８に受け入れられる。従って、蛇腹状体２６がケーブルドラム１０から繰り出される際に、ケーブルヘッド１６がケーブルＣに対して曲がることなく真っ直ぐに保たれる。
【００３４】
図４は、本実施の形態にかかるケーブルドラムシステムの一部を構成する蛇腹状体収容支持具２８の構成、及び蛇腹状体収容支持具２８による蛇腹状体２６の収容態様を説明する図である。
【００３５】
図示のように、蛇腹状体収容支持具２８は、蛇腹状体２６が受け入れられる収容空間３７ａを有する収容部３７を備え、この収容空間３７ａのケーブルドラム１０側の端部は、蛇腹状体２６の繰り出し位置より下方位置で該蛇腹状体２６の受け入れが可能となるように高さ調整されて設置されている。
【００３６】
そして、収容部３７は蛇腹状体２６の受け入れ位置と反対側の端部における短脚部３０、及び蛇腹状体２６の受け入れ位置側の端部における長脚部３２により地面に支持されている。従って、本実施の形態では、この短脚部３０と長脚部３２により、収容部３７における収容空間３７ａが、ケーブルドラム１０側（蛇腹状体２６の受け入れ側）から先端方向に向かって下方傾斜し、上記蛇腹状体２６が自重で滑るように導入が可能となっている。すなわち、蛇腹状体２６の先頭付近である構成単位部材Ｕ１の部分が収容空間３７ａ内に導入されると、あとはケーブルヘッド１６及び蛇腹状体２６の自重により下方へ滑る。  
【００３７】
なお、収容部３７はその上面に長尺の切欠き部３７ｂが形成されており、この切欠き部３７ｂには、蛇腹状体２６が収容空間３７ａを自重で滑る際に支持柱５４が通過する。また、収容部３７の側壁の先端部分には孔部３４が形成されており、この孔部３４には、収容空間３７ａに架け渡されるように係止棒３６が挿通される。
【００３８】
図５及び図６は、蛇腹状体２６が収容空間３７ａに挿入された状態を説明する図である。図から理解されるように、収容部３７内を蛇腹状体２６の自重により下方へ滑る蛇腹状体２６は、最終的に孔部３４に挿通された係止棒３６により収容空間３７ａの先端部分で係止される。
【００３９】
このように、蛇腹状体収容支持具２８の収容空間３７ａに蛇腹状体２６を導入し、この孔部３４に係止棒３６を差しこむだけで、容易に蛇腹状体収容支持具２８で蛇腹状体２６を保持することができる。この状態で、蛇腹状体２６は作業員等の腰位置程度の高さ位置に保持される。
【００４０】
そして、図７に示すように、作業員Ｏは、この蛇腹状体２６が支持された高さ位置で容易にケーブルヘッド１６を蛇腹状体２６から取り外することができる。
【００４１】
以上の構成により、本実施の形態では、蛇腹状体２６の先端部が少なくとも胴部１８におけるケーブルヘッド１６の真下部分を越えて伸長するように巻き付けられてケーブルヘッド１６が載置固定されているので、ケーブルヘッド１６を蛇腹状体２６とともにケーブルドラム１０から繰り出すことができる。すなわち、ケーブルヘッド１６を蛇腹状体２６により下方から支持しつつドラム１０から取り外すことができる。特に、蛇腹状体２６は、巻き付き方向へ曲げ変形が可能で該巻き付け方向と逆方向への曲げ変形が規制される構成であるので、ケーブルヘッド１６が高重量であっても確実に支持されケーブル１１のケーブルドラム１０からの取り外し過程において該ケーブルヘッド１６がケーブル本体Ｃに対して折れ曲がった状態となることを防止することができる。従って、ケーブルドラム１０上部における危険且つ負担のかかるケーブヘッド１６の係止解除作業を無くし、作業の安全性を確保することができる。
【００４２】
また、本実施の形態によれば、蛇腹状体２６における構成単位部材Ｕ１〜ＵＮは、該蛇腹状体２６の側面視において下凸の半円形状に形成されており、この半円の弦部分７０の端部７０ａで相互に連結されている。このように、蛇腹状体２６において、ケーブルドラム１０の周に沿う曲げ変形が可能で反対方向への曲げ変形が規制される構成を容易に得ることができる。
【００４３】
更に、蛇腹状体収容支持具２８の収容空間３７ａが、ケーブルドラム１０側から先端方向に向かって下方傾斜していることで、収容空間３７ａには蛇腹状体２６が自重で滑るように挿入され、この収容空間３７ａの先端位置に係止棒３６が取り付けられて、収容空間３７ａ内に蛇腹状体２６を支持させることができる。すなわち、蛇腹状体２６を上記収容空間３７ａ内に容易に保持することができ、蛇腹状体２６のケーブルヘッド１６の取り外し作業が容易となる。
【００４４】
そして、蛇腹状体２６から取り外されたケーブルヘッド１６は、作業員Ｏにより引かれ、図示しない対象となる端子に挿入装着される。なお、蛇腹状体収容支持具２８におけるケーブルヘッド１６の受け入れ位置を、ケーブルヘッド１６を適用する対象の端子の位置と略同高さに設定することで、作業員Ｏは、ケーブルヘッド１６を持ち上げる或いは下げる等の負荷のかかる作業を行うことなく、極めて容易に対象の端子への差し込み作業を行うことができる。
【００４５】
また、図８には、反対側のケーブルヘッド１６の部分までケーブルＣを繰り出した状態におけるケーブルドラム１０の態様を示している。図示のように、反対側のケーブルヘッド１６の部分までくると、反対側のケーブルヘッド１６が乗せられた蛇腹状体２６も同様に、蛇腹状体収容支持具２８により受け入れられ、ケーブルヘッド１６が蛇腹状体２６から取り外される。なお、この際、蛇腹状体収容支持具２８の位置（ドラムの幅方向における位置）は、反対側のケーブルヘッド１６を乗せた蛇腹状体２６の受け入れを行い易いように適宜変更しても良い。
【００４６】
なお、本発明は、上記実施の形態に限定されるものではなく、発明の要旨の範囲内で種々の変更が可能である。例えば、本実施の形態では、ケーブルヘッド１６を乗せたケーブルドラム１０から繰り出されるヘッド誘導体として、蛇腹状体２６が用いられているが、これに限られるものではなく、例えば、ケーブルドラムに巻き付き且つ繰り出される際には直線形状を取り該巻き付け方向と逆の方向へは変形し難いような性質、すなわち、ケーブルヘッド１６の重量に耐えて逆方向に変形しない、性質を持つ材料を用いても良い。
【００４７】
また、蛇腹状体収容支持具２８の形態も上記実施の形態のものに限られず、該ヘッド誘導体を収容支持可能であるものならば、種々の形状のものを適用可能である。更に、蛇腹状体収容支持具２８は、一つに限られず、例えば、最初に繰り出される蛇腹状体２６に乗せられたケーブルヘッド（先頭のケーブルヘッド）の水平方向位置（一方の外側フランジ１２−１寄り位置）に合わせて蛇腹状体収容支持具２８を１つ設置するとともに、最後に繰り出される蛇腹状体２６に乗せられたケーブルヘッド１６（終端のケーブルヘッド）の水平方向位置（他方の外側フランジ１２−２寄り位置）に合わせて他の蛇腹状体収容支持具２８を設置するようにしても良い。
【符号の説明】
【００４８】
１０      ケーブルドラム
１１      ケーブル
１６      ケーブルヘッド
１８      胴部
２６      蛇腹状体
２８      蛇腹状体収容支持具（ヘッド誘導体収容支持部）
Ｃ        ケーブル本体
【図１】
0005269140.tif 000002
【図２】
0005269140.tif 000003
【図３】
0005269140.tif 000004
【図４】
0005269140.tif 000005
【図５】
0005269140.tif 000006
【図６】
0005269140.tif 000007
【図７】
0005269140.tif 000008
【図８】
0005269140.tif 000009
【図９】
0005269140.tif 000010